(57)【要約】      （修正有）【課題】付属されるセンサーと干渉しても、ウェブカメラの性能を損なわないウェブカメラ用の覗き見盗撮防止装置を提供する。【解決手段】ウェブカメラのレンズを露出させる撮影用の穴を設けた透明な材質の固定部品４をレンズ２の前部に、固定部品にある撮影用の穴５をレンズに合わせて固定し、レンズを隠せる大きさの不透明な遮光部分８及び固定部品のウェブカメラ撮影用穴を完全露出できる大きさの穴９が設けられた透明なベース材質の可動部品７を固定部品に取り付ける。更に、可動部品の不透明な遮光部分でレンズを覆い、ウェブカメラに映像を取り込むことを不可能とし、可動部品を、固定部品上でスライドさせ、固定部品のウェブカメラ撮影用穴を露出するための可動部品に設けた穴に合わせるか又は可動部品を固定部品から取り外すことにより、レンズを露出させ、ウェブカメラに映像を取り込んでの撮影を可能とする。【選択図】図５
2018117330.tif 000002
【特許請求の範囲】
【請求項１】
ウェブカメラのレンズを露出させる撮影用の穴を設けた材質が透明な固定部品をウェブカメラのレンズの前部に、固定部品にある撮影用の穴をウェブカメラのレンズに合わせて固定し、ウェブカメラのレンズを隠せる大きさの不透明な遮光部分、それから、固定部品のウェブカメラ撮影用穴を完全露出できる大きさの穴が設けられたベース材質が透明である可動部品を固定部品に取り付け、ウェブカメラのレンズを可動部品の不透明な遮光部分でレンズを覆い、ウェブカメラに映像を取り込むことを不可能とし、前記可動部品を、前記固定部品上でスライドさせ、固定部品のウェブカメラ撮影用穴を露出するための可動部品に設けた穴に合わせるか、又は、可動部品を固定部品から取り外すことにより、ウェブカメラのレンズを露出させ、ウェブカメラに映像を取り込んでの撮影を可能とする構造を備えることを特徴とするウェブカメラ用覗き見盗撮防止装置。
【発明の詳細な説明】
【技術分野】
【０００１】本発明は、パソコン、携帯端末など情報通信端末に搭載され、又は、外付けされた形で接続されるウェブカメラが不正に利用されての覗き見や盗撮を防止する技術に関する。
【背景技術】
【０００２】従来のウェブカメラ用覗き見盗撮防止カバーは、ウェブカメラに取り付ける固定部品と固定部品にお取り付けられる可動部品は不透明な材質を採用しており、可動部品の不透明部分はウェブカメラレンズを遮断する役割を果たすのが一般的である。
【先行技術文献】
【０００３】
【特許文献】
【特許文献】特開２０１６−１８０９７０号
【発明の概要】
【発明が解決しようとする課題】
【０００４】ウェブカメラレンズの周りに、暗視赤外線センサーなど利用環境の光りの情報を検知するセンサーを設けることが多く、また、センサーがウェブカメラのレンズとの距離は製品によって異なる。【０００５】ウェブカメラに取り付ける固定部品と可動部品が不透明な材質を採用した場合、ウェブカメラに固定部品を固定し、可動部品を固定部品に取り付ける。固定部品はウェブカメラのセンサーとレンズとの様々な距離により、センサーと干渉し、センサーの動作の妨げになり、ウェブカメラの性能を損なう可能性がある。【０００６】また、ウェブカメラを利用する際は、可動部品を動かしてウェブカメラのレンズを露出させるが、上記ウェブカメラに付属されるセンサーに干渉し、センサー動作の妨げになり、ウェブカメラの性能を損なう可能性がある。【０００７】本発明の目的は、部品がウェブカメラに付属される使用環境の光りの情報を検知するセンサーと干渉しても、センサーへの影響を最小限に抑え、ウェブカメラの性能を損なわないウェブカメラ用の覗き見盗撮防止装置を提供することである。
【課題を解決するための手段】
【０００８】本発明では上記課題を解決するため、下記のような構成を採用する。【０００９】ウェブカメラのレンズに取り付ける固定部品、固定部品に取り付ける可動部品は全てベース材質を透明な材質を採用する。【００１０】固定部品にウェブカメラのレンズを露出させる撮影用の穴を設け、ウェブカメラの前部に、固定部品にある撮影用の穴をウェブカメラのレンズに合わせて固定する。【００１１】可動部品に、ウェブカメラのレンズを隠せる大きさの不透明な遮光部分、それから、固定部品のウェブカメラ撮影用穴を完全露出できる大きさの穴を設け、固定部品に取り付ける。【００１２】ウェブカメラを利用しない時は、可動部品の不透明な遮光部分をウェブカメラのレンズに合わせてレンズを覆い、ウェブカメラに映像を取り込むことを不可能にする。【００１３】ウェブカメラを使用するときは、前記可動部品を、前記固定部品上でスライドさせて固定部品のウェブカメラ撮影用穴を露出するための穴に合わせるか、可動部品を固定部品から取り外すことにより、レンズを露出させ、ウェブカメラに映像を取り込んでの撮影を可能にする。
【発明の効果】
【００１４】本発明は上記のように、可動部品に設けられたウェブカメラのレンズを覆うための不透明な遮光部分以外のウェブカメラ用の覗き見盗撮防止装置の固定、可動部品を全て透明な材質に採用したことにより、部品がウェブカメラに付属される使用環境の光りの情報を検知するセンサーと干渉しても、ウェブカメラに付属される利用環境の光りの情報を検知する各センサーへの影響を最小限に抑え、ウェブカメラの性能を損なわないウェブカメラ用の覗き見盗撮防止装置を提供できるようになった。
【発明を実施するための形態】
【００１５】以下に本発明の実施の形態について、図面を参照して説明する。
【００１６】図５に、本発明の構成図を示す。
【００１７】図１と図２のウェブカメラ用の覗き見盗撮防止装置の固定部品４の材質を透明な材質に採用する。固定部品４に図４のウェブカメラのレンズ２を露出させる撮影用の穴５を設け、固定部品４に図３の可動部品７をスライドさせるレール６を設ける。
【００１８】図３のウェブカメラ用の覗き見盗撮防止装置の可動部品７の材質を透明な材質に採用する。図４のウェブカメラのレンズ２を隠せる大きさの不透明な遮光材質を採用したシール８を可動部品７に貼付し、固定部品４に設けたウェブカメラ撮影用穴５より大きい穴９を設ける。可動部品７は固定部品４のレール６に差込み、レールの上で左右にスライドさせること、レールから取り外すことが可能とする。
【００１９】図４は、固定部品４にあるウェブカメラのレンズ２を露出させる撮影用の穴５とウェブカメラのレンズの位置を合わせ、固定部品４をウェブカメラ本体１の前部に両面テープなどの手段で取り付ける。
【００２０】図５は、可動部品７を固定部品４のレール６を通して取り付ける。
【００２１】図６は、ウェブカメラを利用しない時は、可動部品７に貼付された遮光シール８をウェブカメラのレンズ２に合わせてレンズ２を覆い、ウェブカメラに映像を取り込むことを不可能にする。
【００２２】図７は、ウェブカメラを使用するときは、可動部品７を固定部品４のレール６の上で左へスライドさせ、可動部品７に設けた穴９がウェブカメラのレンズ２の位置に合わせてウェブカメラのレンズ２を露出させ、ウェブカメラに付属される各センサー３が不透明な遮光シール８に覆われない状態で、ウェブカメラのレンズ２に映像を取り込んでの撮影を可能にする。
【００２３】また、ウェブカメラを使用するときは、可動部品７を固定部品４のレール６から取り外し、ウェブカメラのレンズ２及び付属する各センサー３を露出させた図４の状態で、ウェブカメラのレンズ２に映像を取り込んでの撮影を可能にする。
【図面の簡単な説明】
【００２４】
【図１】本発明装置の固定部品
【図２】本発明装置の固定部品の側面断面図
【図３】本発明装置の可動部品
【図４】本発明装置の固定部品をウェブカメラ本体に取り付けるイメージとウェブカメラを使用する際の本発明装置の状態
【図５】本発明装置を示す構成図
【図６】本発明装置にてウェブカメラのレンズに映像を取り込むことを不可能にする状態
【図７】ウェブカメラを使用する際の本発明装置の状態
【符号の説明】
【００２５】１  ウェブカメラ本体の前面
２  ウェブカメラのレンズ
３  ウェブカメラの付属センサー
４  固定部品
５  固定部品に設けたウェブカメラ撮影用穴
６  固定部品に設けたレール
７  可動部品
８  可動部品に貼付された不透明な遮光シール
９  可動部品に設けた穴
【図１】
2018117330.tif 000003
【図２】
2018117330.tif 000004
【図３】
2018117330.tif 000005
【図４】
2018117330.tif 000006
【図５】
2018117330.tif 000007
【図６】
2018117330.tif 000008
【図７】
2018117330.tif 000009